(57)【要約】【課題】複数のスマートフォンなど多機能携帯通信端末と双方向で通信する監視カメラ装置の利便性を向上させる。【解決手段】操作部１２により、スマートフォン３１，３２，３３，３４，３５に対して優先順位があらかじめ設定されている。制御部１７にて、カメラ部１１による撮影画像を解析することにより動きが検出されたとき、設定された優先順位に基づいて選択されたスマートフォンに、この旨を表す電子メールが送受信部１６からインターネットＮＷを経て送信される。所定時間内に応答がないとき、次の順位のスマートフォンに電子メールが送信され、同スマートフォンから画像送信要求があったとき、画像記憶部１３に記録されている画像が送信される。【選択図】図１
2014041570.tif 000002
【特許請求の範囲】
【請求項１】
監視対象領域を撮影するためのカメラ部と、
所定の通信回線を介して携帯通信端末と送受信を行うための送受信部と、
前記カメラ部により撮影された画像を記録するための画像記憶部と、
該画像記憶部に記録されている前記画像の参照を前記携帯通信端末に対して指令するための画像参照指令が与えられたとき、この旨を表す電子メールを前記送受信部から前記通信回線を経て前記携帯通信端末へ送信すると共に、該携帯通信端末から画像送信要求があったとき、前記画像記憶部に記録されている前記画像を送信する制御部とを備えてなる監視カメラ装置であって、
前記携帯通信端末が複数ある場合、前記各携帯通信端末に対して優先順位をあらかじめ設定するための操作部が設けられ、
前記制御部は、
設定された前記優先順位に基づいて選択された前記携帯通信端末に前記電子メールを送信する選択端末優先送信手段が設けられていることを特徴とする監視カメラ装置。
【請求項２】
前記選択端末優先送信手段は、
前記優先順位に基づいて選択された前記携帯通信端末に前記電子メールを送信し、所定時間内に応答がないとき、次の順位の携帯通信端末に前記電子メールを送信する構成とされていることを特徴とする請求項１記載の監視カメラ装置。
【請求項３】
前記制御部は、
前記カメラ部により撮影された画像を解析して前記監視対象領域内の動きを検出したとき、該動きの検出を前記画像参照指令として使用する構成とされていることを特徴とする請求項１又は２記載の監視カメラ装置。
【請求項４】
前記制御部は、
前記優先順位が前記監視対象領域内の動きの度合いに対応して設定されている場合、前記監視対象領域内の動きの度合いを解析して緊急度を判定し、この判定結果に基づいて該当する前記携帯通信端末に前記電子メールを送信する構成とされていることを特徴とする請求項３記載の監視カメラ装置。
【請求項５】
前記制御部は、
前記画像参照指令が与えられる所定時間前から前記カメラ部により撮影された画像を前記画像記憶部に記録する構成とされていることを特徴とする請求項１、２、３又は４記載の監視カメラ装置。
【請求項６】
前記制御部は、
前記電子メールを送信するとき、前記画像記憶部に記録されている前記画像を添付して送信する構成とされていることを特徴とする請求項５記載の監視カメラ装置。
【請求項７】
監視対象領域を撮影するためのカメラ部と、
所定の通信回線を介して携帯通信端末と送受信を行うための送受信部と、
前記カメラ部により撮影された画像を記録するための画像記憶部とを有する監視カメラ装置に用いられ、
前記画像記憶部に記録されている前記画像の参照を前記携帯通信端末に対して指令するための画像参照指令が与えられたとき、監視プログラムがコンピュータに、この旨を表す電子メールを前記送受信部から前記通信回線を経て前記携帯通信端末へ送信させると共に、該携帯通信端末から画像送信要求があったとき、前記画像記憶部に記録されている前記画像を送信させる監視方法であって、
前記携帯通信端末が複数ある場合、前記各携帯通信端末に対して優先順位をあらかじめ設定するための操作部を設け、
前記コンピュータに、
設定された前記優先順位に基づいて選択された前記携帯通信端末に前記電子メールを送信する選択端末優先送信処理を行わせることを特徴とする監視カメラ装置に用いられる監視方法。
【請求項８】
前記コンピュータに、
前記優先順位に基づいて選択された前記携帯通信端末に前記電子メールを送信させ、所定時間内に応答がないとき、次の順位の携帯通信端末に前記電子メールを送信させることを特徴とする請求項７記載の監視カメラ装置に用いられる監視方法。
【請求項９】
前記コンピュータに、
前記カメラ部により撮影された画像を解析して前記監視対象領域内の動きを検出したとき、該動きの検出を前記画像参照指令として使用させることを特徴とする請求項７又は８記載の監視カメラ装置に用いられる監視方法。
【請求項１０】
前記コンピュータに、
前記優先順位が前記監視対象領域内の動きの度合いに対応して設定されている場合、前記監視対象領域内の動きの度合いを解析して緊急度を判定させ、この判定結果に基づいて該当する前記携帯通信端末に前記電子メールを送信させることを特徴とする請求項９記載の監視カメラ装置に用いられる監視方法。
【請求項１１】
前記コンピュータに、
前記画像参照指令が与えられる所定時間前から前記カメラ部により撮影された画像を前記画像記憶部に記録させることを特徴とする請求項７、８、９又は１０記載の監視カメラ装置に用いられる監視方法。
【請求項１２】
前記コンピュータに、
前記電子メールを送信するとき、前記画像記憶部に記録されている前記画像を添付して送信させることを特徴とする請求項１１記載の監視カメラ装置に用いられる監視方法。
【請求項１３】
コンピュータを、請求項１乃至６のいずれか一に記載の制御部として機能させることを特徴とする監視プログラム。
【発明の詳細な説明】
【技術分野】
【０００１】
この発明は、監視カメラ装置、該装置に用いられる監視方法及び監視プログラムに係り、たとえば、室内の状態が変化したときにスマートフォン（多機能携帯電話機）などの携帯通信端末を携行する外出中のユーザに知らせる場合に用いられ、特に、携帯通信端末を携行するユーザが複数いる場合に適用して好適な監視カメラ装置、該装置に用いられる監視方法及び監視プログラムに関する。
【背景技術】
【０００２】
ユーザが外出中に地震が発生した場合や、犬や猫などのペットを家に残して外出した場合などでは、ユーザが留守中の家の内部の状態を知りたくなることがある。また、たとえば要介護者が独居している場合では、家族や介護ヘルパーが要介護者の様子を知りたくなることがある。このような場合に用いられる装置として、室内に設置されたビデオカメラによる撮影画像をスマートフォンなどの携帯通信端末へ送信する装置が製作されている。
【０００３】
この種の関連技術としては、たとえば、特許文献１に記載された携帯端末がある。
この携帯端末では、撮像部により所定の領域が撮像され、撮像された画像が端末記憶部に記憶される。異常判断部により、人感センサの検知信号から異常発生の有無が判断される。異常判断部により異常と判断された場合、通知部により外部に通知され、また、端末記憶部によって記憶された画像が維持される。これにより、住宅や会社などの防犯に有効となる。
【０００４】
また、特許文献２に記載された独居者等の監視警備連絡装置では、在宅モードのとき、屋内監視システムとなり、監視センサからの信号、及び／又は動画カメラからの信号は、シーケンサ装置により、設定時間内に独居者等の動きが感知されると、リセットされる。設定時間内に動きが感知されない場合、まず独居者等に警報が発せられ、独居者等がそれに気付いて動きがあった場合や、ナースコールボタンが押下された場合は、リセットされる。一方、これらの信号がない場合は、異常状態と判断されて自動通報システムに異常信号が送信され、同自動通報システムから単数又は複数の通報先に通報される。通報先は、家族、介護ヘルパー、病院、消防署、警察等を自由に選択することができる。また、お出かけモードのとき、屋内警備監視システムとなり、監視センサからの信号、及び／又は動画カメラからの信号は、シーケンサ装置により、設定時間内に侵入者の動きが感知されると、自動通報システムに異常信号が送信され、同自動通報システムから単数又は複数の通報先に通報される。通報先は、警察、消防署、家族、介護ヘルパー、病院等を自由に選択することができる。
【先行技術文献】
【特許文献】
【０００５】
【特許文献１】特開２００９−０７５９８３号公報
【特許文献２】特開２０１２−０８９１０６号公報
【発明の概要】
【発明が解決しようとする課題】
【０００６】
しかしながら、上記関連技術では、次のような課題があった。
すなわち、特許文献１に記載された携帯端末では、異常判断部により異常と判断された場合、通知部により外部に通知されるが、異常の内容に応じて通知先を選択する構成にはなっていないので、利便性が十分ではないという課題がある。
【０００７】
特許文献２に記載された監視警備連絡装置では、異常があった場合に自動通報システムから通報先に通報されるが、特許文献１と同様に、異常の内容に応じて通報先を選択する構成にはなっていないので、利便性が十分ではないという課題がある。
【０００８】
この発明は、上述の事情に鑑みてなされたもので、携帯通信端末を携行するユーザが複数いる場合の利便性が向上する監視カメラ装置、該装置に用いられる監視方法及び監視プログラムを提供することを目的としている。
【課題を解決するための手段】
【０００９】
上記課題を解決するために、この発明の第１の構成は、監視対象領域を撮影するためのカメラ部と、所定の通信回線を介して携帯通信端末と送受信を行うための送受信部と、前記カメラ部により撮影された画像を記録するための画像記憶部と、該画像記憶部に記録されている前記画像の参照を前記携帯通信端末に対して指令するための画像参照指令が与えられたとき、この旨を表す電子メールを前記送受信部から前記通信回線を経て前記携帯通信端末へ送信すると共に、該携帯通信端末から画像送信要求があったとき、前記画像記憶部に記録されている前記画像を送信する制御部とを備えてなる監視カメラ装置に係り、前記携帯通信端末が複数ある場合、前記各携帯通信端末に対して優先順位をあらかじめ設定するための操作部が設けられ、前記制御部は、設定された前記優先順位に基づいて選択された前記携帯通信端末に前記電子メールを送信する選択端末優先送信手段が設けられていることを特徴としている。
【００１０】
この発明の第２の構成は、監視対象領域を撮影するためのカメラ部と、所定の通信回線を介して携帯通信端末と送受信を行うための送受信部と、前記カメラ部により撮影された画像を記録するための画像記憶部とを有する監視カメラ装置に用いられ、前記画像記憶部に記録されている前記画像の参照を前記携帯通信端末に対して指令するための画像参照指令が与えられたとき、監視プログラムがコンピュータに、この旨を表す電子メールを前記送受信部から前記通信回線を経て前記携帯通信端末へ送信させると共に、該携帯通信端末から画像送信要求があったとき、前記画像記憶部に記録されている前記画像を送信させる監視方法に係り、前記携帯通信端末が複数ある場合、前記各携帯通信端末に対して優先順位をあらかじめ設定するための操作部を設け、前記コンピュータに、設定された前記優先順位に基づいて選択された前記携帯通信端末に前記電子メールを送信する選択端末優先送信処理を行わせることを特徴としている。
【発明の効果】
【００１１】
この発明の構成によれば、複数の携帯通信端末と双方向で通信する監視カメラ装置の利便性を向上させることができる。
【図面の簡単な説明】
【００１２】
【図１】この発明一実施形態である監視カメラ装置の要部の電気的構成及び同装置が用いられる環境を示す図である。
【図２】スマートフォンの表示画面の遷移の一例を示す図である。
【図３】ログイン画面を示す図である。
【図４】メイン画面を示す図である。
【図５】接続先を選択する画面を示す図である。
【図６】ライブ画面を示す図である。
【図７】マイクロＳＤカードに記録された動画ファイルを選択する画面を示す図である。
【図８】スマートフォン内に記録された動画又は静止画ファイルを選択する画面を示す図である。
【図９】スマートフォン内に保存された動画ファイルを再生する画面を示す図である。
【図１０】スマートフォン内に保存された静止画ファイルを表示する画面を示す図である。
【図１１】各設定画面に遷移するための選択画面を示す図である。
【図１２】設定を行う接続先を選択する画面を示す図である。
【図１３】監視カメラ装置に接続するための各種設定内容を入力する画面を示す図である。
【図１４】ログイン設定画面を示す図である。
【図１５】現在のアプリケーションのバージョンを表示する画面を示す図である。
【発明を実施するための形態】
【００１３】
上記選択端末優先送信手段（選択端末優先送信部）が上記優先順位に基づいて選択された携帯通信端末に電子メールを送信し、所定時間内に応答がないとき、次の順位の携帯通信端末に電子メールを送信する構成とされている監視カメラ装置を実現する。
【００１４】
また、上記制御部は、上記カメラ部により撮影された画像を解析して上記監視対象領域内の動きを検出したとき、動きの検出を上記画像参照指令として使用する構成とされている。また、上記制御部は、上記優先順位が上記監視対象領域内の動きの度合いに対応して設定されている場合、監視対象領域内の動きの度合いを解析して緊急度を判定し、この判定結果に基づいて該当する携帯通信端末に電子メールを送信する構成とされている。
【００１５】
また、上記制御部は、上記画像参照指令が与えられる所定時間前から上記カメラ部により撮影された画像を上記画像記憶部に記録する構成とされている。上記制御部は、上記電子メールを送信するとき、上記画像記憶部に記録されている上記画像を添付して送信する構成とされている。
【実施形態】
【００１６】
図１は、この発明一実施形態である監視カメラ装置の要部の電気的構成及び同装置が用いられる環境を示す図である。
この形態の環境では、同図に示すように、屋内に設置された監視カメラ装置１０がルータ２０に無線接続され、同ルータ２０がインターネットＮＷを介して各ユーザが携行するスマートフォン３１，３２，３３，３４，３５に接続されるようになっている。これらのスマートフォン３１，３２，３３，３４，３５は、たとえばＡｎｄｒｏｉｄ端末で構成されている。インターネットＮＷには、図示しない無線基地局、在圏移動通信交換局、関門移動通信交換局及び一般電話回線網などが含まれている。監視カメラ装置１０は、カメラ部１１と、操作部１２と、画像記憶部１３と、スピーカ１４と、マイクロホン１５と、送受信部１６と、制御部１７とから構成されている。
【００１７】
カメラ部１１は、制御部１７によりパン・チルト制御され、監視カメラ装置１０が設置されている屋内の監視対象領域を撮影するためのものである。操作部１２は、たとえばキーボードなどで構成され、各スマートフォン３１，３２，３３，３４，３５に対して優先順位をあらかじめ設定するためのものである。画像記憶部１３は、たとえばマイクロＳＤ（Secure Digital）カードなどで構成され、カメラ部１１により撮影された画像を記録するためのものである。送受信部１６は、インターネットＮＷを介して各スマートフォン３１，３２，３３，３４，３５と送受信を行う。スピーカ１４は、スマートフォン３１，３２，３３，３４，３５からインターネットＮＷを介して送信された音声信号に基づいて音声を発生する。マイクロホン１５は、監視カメラ装置１０が設置されている屋内の音を集音し、インターネットＮＷを介してスマートフォン３１，３２，３３，３４，３５へ送信する。
【００１８】
制御部１７は、監視プログラムに基づいて動作するコンピュータで構成され、画像記憶部１３に記録されている画像の参照をスマートフォン３１，３２，３３，３４，３５に対して指令するための画像参照指令が与えられたとき、この旨を表す電子メールを送受信部１６からインターネットＮＷを経てスマートフォン３１，３２，３３，３４，３５へ送信すると共に、同スマートフォン３１，３２，３３，３４，３５から画像送信要求があったとき、画像記憶部１３に記録されている画像を送信する。この場合、制御部１７は、カメラ部１１により撮影された画像を解析して監視対象領域内の画像の変化などにより、物体の動きを検出したとき、この動きの検出を上記画像参照指令として使用する。
【００１９】
また、この実施形態では、制御部１７には、スマートフォン３１，３２，３３，３４，３５のうち、操作部１２により設定された上記優先順位に基づいて選択されたスマートフォンに電子メールを送信する選択端末優先送信部１７ａが設けられている。選択端末優先送信部１７ａは、上記優先順位に基づいて選択されたスマートフォンに電子メールを送信し、所定時間内に応答がないとき、次の順位のスマートフォンに電子メールを送信する。また、制御部１７は、上記優先順位がカメラ部１１の監視対象領域内の物体の動きの度合いに対応して設定されている場合、監視対象領域内の物体の動きの度合いを解析して緊急度を判定し、この判定結果に基づいて該当するスマートフォンに電子メールを送信する。また、制御部１７は、上記画像参照指令が与えられる所定時間前からカメラ部１１により撮影された画像を画像記憶部１３に記録するプリレコーディング機能を有している。また、制御部１７は、電子メールを送信するとき、画像記憶部１３に記録されている画像を添付して送信する。
【００２０】
図２は、スマートフォンの表示画面の遷移の一例を示す図、図３は、ログイン画面を示す図、図４は、メイン画面を示す図、図５は、接続先を選択する画面を示す図、図６は、ライブ画面を示す図、図７は、マイクロＳＤカードに記録された動画ファイルを選択する画面を示す図、図８は、スマートフォン内に記録された動画又は静止画ファイルを選択する画面を示す図、図９は、スマートフォン内に保存された動画ファイルを再生する画面を示す図、図１０は、スマートフォン内に保存された静止画ファイルを表示する画面を示す図、図１１は、各設定画面に遷移するための選択画面を示す図、図１２は、設定を行う接続先を選択する画面を示す図、図１３は、監視カメラ装置に接続するための各種設定内容を入力する画面を示す図、図１４は、ログイン設定画面を示す図、及び図１５が、現在のアプリケーションのバージョンを表示する画面を示す図である。
これらの図を参照して、この形態の監視カメラ装置に用いられる監視方法の処理内容について説明する。
【００２１】
この監視カメラ装置では、操作部１２により、スマートフォン３１，３２，３３，３４，３５に対して優先順位があらかじめ設定されている。コンピュータで構成された制御部１７にて、カメラ部１１による撮影画像を解析することにより動きが検出されたとき（すなわち、画像参照指令が与えられたとき）、監視プログラムが制御部１７に、あらかじめ設定された上記優先順位に基づいて選択されたスマートフォンに、この旨を表す電子メールを送受信部１６からインターネットＮＷを経て送信させる（選択端末優先送信処理）。この選択端末優先送信処理では、上記優先順位に基づいて選択されたスマートフォンに電子メールを送信させ、所定時間内に応答がないとき、制御部１７に、次の順位のスマートフォンに電子メールを送信させ、同スマートフォンから画像送信要求があったとき、画像記憶部１３に記録されている画像を送信させる。
【００２２】
また、上記優先順位がカメラ部１１の監視対象領域内の動きの度合いに対応して設定されている場合、監視プログラムが制御部１７に、監視対象領域内の動きの度合いを解析して緊急度を判定させ、この判定結果に基づいて該当するスマートフォンに電子メールを送信させる。また、監視プログラムが制御部１７に、画像参照指令が与えられる所定時間前からカメラ部１１により撮影された画像を画像記憶部１３に記録させる。また、制御部１７が電子メールを送信するとき、監視プログラムが同制御部１７に、画像記憶部１３に記録されている画像を添付して送信させる。
【００２３】  スマートフォン３１，３２，３３，３４，３５のうちの選択されたスマートフォンでは、表示画面は、たとえば図２に示すように、ログイン画面Ｐ１からメイン画面Ｐ２に遷移し、同メイン画面Ｐ２と接続選択画面Ｐ３との間で双方向で遷移する。また、接続選択画面Ｐ３とライブ画面Ｐ４との間で双方向で遷移する。また、監視カメラ装置１０の名称をたとえば“（公序良俗違反につき、不掲載）”とすると、接続選択画面Ｐ３と（公序良俗違反につき、不掲載）ファイル画面Ｐ５との間で双方向で遷移する。また、メイン画面Ｐ２とＡｎｄｒｏｉｄファイル画面Ｐ６との間で双方向で遷移し、同Ａｎｄｒｏｉｄファイル画面Ｐ６と動画再生画面Ｐ７との間で双方向で遷移する。
【００２４】  また、動画再生画面Ｐ７と（公序良俗違反につき、不掲載）ファイル画面Ｐ５との間で双方向で遷移する。また、Ａｎｄｒｏｉｄファイル画面Ｐ６と静止画表示画面Ｐ８との間で双方向で遷移する。また、メイン画面Ｐ２と設定選択画面Ｐ９との間で双方向で遷移し、同設定選択画面Ｐ９と接続設定選択画面Ｐ１０との間で双方向で遷移する。接続設定選択画面Ｐ１０と接続設定画面Ｐ１１との間で双方向で遷移する。また、設定選択画面Ｐ９とログイン設定画面Ｐ１２との間で双方向で遷移し、同設定選択画面Ｐ９とバージョン表示画面Ｐ１３との間で双方向で遷移する。
【００２５】
すなわち、ログイン画面Ｐ１は、アプリケーション起動時に表示される画面であり、正しいパスワードが入力されて認証されたとき、メイン画面Ｐ２に遷移する。また、ログイン設定においてログイン画面有効がチェックされていない場合、アプリケーション起動時、ログイン画面Ｐ１は表示されず、メイン画面が表示される。ログイン画面Ｐ１では、たとえば図３に示すように、ログインパスワード入力エリア［１］、ログインボタン［２］及びキャンセルボタン［３］が表示される。ログインパスワード入力エリア［１］は、ログインパスワードを入力するためのエリアである。正しいログインパスワードが入力された状態でログインボタン［２］をタップすると、メイン画面Ｐ２に遷移する。キャンセルボタン［３］をタップすると、アプリケーションが終了する。
【００２６】  メイン画面Ｐ２は、アプリケーションの種々の機能を使用する上での起点となる画面であり、たとえば図４に示すように、ライブ（文字）［１］、録画ファイル（文字）［２］、ファイル選択（文字）［３］及び設定（文字）［４］が表示される。ライブ（文字）［１］をタップすることで接続選択画面Ｐ３に遷移する。ただし、接続先の登録が一つのみの場合、ライブ画面Ｐ４に遷移する。また、録画ファイル（文字）［２］をタップすることで接続選択画面Ｐ３に遷移する。ただし、接続先の登録が一つのみの場合、（公序良俗違反につき、不掲載）ファイル画面Ｐ５に遷移する。ファイル選択（文字）［３］をタップすることでＡｎｄｒｏｉｄファイル画面Ｐ６に遷移する。また、設定（文字）［４］をタップすることで設定選択画面Ｐ９に遷移する。
【００２７】  接続選択画面Ｐ３は、メイン画面Ｐ２でライブ（文字）［１］又は録画ファイル（文字）［２］が選択され、かつ、複数の接続先（監視カメラ装置）が設定されている場合に表示され、接続する監視カメラ装置を選択するための画面である。接続選択画面Ｐ３では、図５に示すように、接続先名（文字）［１］及びキャンセル（文字）［２］が表示される。メイン画面Ｐ２でライブ（文字）［１］を選択した場合、接続先名（文字）［１］をタップすることでライブ画面Ｐ４に遷移する。また、メイン画面Ｐ２で録画ファイル（文字）［２］を選択した場合、接続先名（文字）［１］をタップすることで（公序良俗違反につき、不掲載）ファイル画面Ｐ５に遷移する。キャンセル（文字）［２］をタップすることでメイン画面Ｐ２に遷移する。
【００２８】  ライブ画面Ｐ４は、インターネットＮＷを介して監視カメラ装置（（公序良俗違反につき、不掲載））１０に接続し、ライブ映像、双方向音声送受信、カメラ方向制御などを行うための画面である。ライブ画面Ｐ４では、たとえば、図６（ａ）に示す縦長画面が表示される。図６（ａ）では、映像表示兼パン・チルト制御エリア［１］、パン・チルト制御ボタン［２］、キャプチャーボタン［３］、録画ボタン［４］、マイクボタン［５］、集音ボタン［６］及び動き検知ボタン［７］が表示される。映像表示兼パン・チルト制御エリア［１］では、監視カメラ装置１０から送信されるライブ映像が表示され、たとえば、屋内にいるペット（犬）の姿の一部が表示されている。パン・チルト制御ボタン［２］では、各矢印ボタンをタッチすると、タッチしている間、矢印方向にカメラがパン・チルトする。また、ホームボタンをタップすると、ホームポジションへ移動する。また、映像表示兼パン・チルト制御エリア［１］でスワイプを行うと、図６（ｂ）に示す横長画面が表示される。さらに、このエリアを用いて監視カメラ装置１０のカメラ部１１のパン・チルト制御を行うことができる。すなわち、このエリアでスワイプを行うと、スワイプ方向と反対にカメラ部１１がパン・チルトする。また、このエリアをダブルタップするとホームポジションへ移動する。
【００２９】  キャプチャーボタン［３］をタップすることで、現在表示されている動画のキャプチャー画像がスマートフォンに保存される。録画ボタン［４］をタップすることで、カメラ部１１の撮影画像の画像記憶部１３への録画の開始／停止が行われる。録画中では、録画ボタン［４］がたとえば赤色に表示され、録画中であることが視覚的に判断できる。マイクボタン［５］をタップ（プレス）している間、スマートフォンのマイクから入力された音声が監視カメラ装置１０（（公序良俗違反につき、不掲載））のスピーカ１４から出力される。集音ボタン［６］をタップすることで、監視カメラ装置１０のマイクロホン１５が動作し、周囲の音が集音される。動き検知ボタン［７］をタップすることで、監視カメラ装置１０の動き検知機能がオン／オフする。
【００３０】  （公序良俗違反につき、不掲載）ファイル画面Ｐ５は、監視カメラ装置１０の画像記憶部１３（マイクロＳＤカード）に記録された動画ファイルを選択するための画面である。（公序良俗違反につき、不掲載）ファイル画面Ｐ５では、たとえば図７（ａ）に示すように、年選択エリア［１］に、ファイルが存在する録画開始年月日の年一覧が表示され、文字をタップすることで月選択に移行する。月選択では、図７（ｂ）に示すように、月選択エリア［２］に、年選択で選択された年の中でファイルが存在する録画開始年月日の月一覧が表示され、文字をタップすることで日選択に移行する。
【００３１】
日選択では、図７（ｃ）に示すように、日選択エリア［３］に、月選択で選択された月の中でファイルが存在する録画開始年月日の日一覧が表示され、文字をタップすることでファイル選択に移行する。ファイル選択では、図７（ｄ）に示すように、ファイル選択エリア［４］に、日選択で選択された日の中に存在するファイル一覧が表示され、文字をタップすることでファイルがダウンロードされてスマートフォン内に保存後、録画再生画面に移行する。また、図７（ｂ），（ｃ），（ｄ）中の一つ上へ（文字）［５］をタップすることで一つ前の選択項目に戻る。また、図７（ａ），（ｂ），（ｃ），（ｄ）中のキャンセル（文字）［６］をタップすることでメイン画面に戻る。
【００３２】
Ａｎｄｒｏｉｄファイル画面Ｐ６は、スマートフォン内に記録された動画又は静止画ファイルを選択するための画面である。Ａｎｄｒｏｉｄファイル画面Ｐ６では、たとえば図８（ａ）に示すように、動画（文字）［１］、静止画（文字）［２］及びキャンセル（文字）［８］が表示される。動画（文字）［１］をタップすることでスマートフォン内の動画ファイルが検索される。静止画（文字）［２］をタップすることでスマートフォン内の静止画ファイルが検索される。動画ファイル又は静止画ファイルを検索する場合、図８（ｂ）に示すように、年選択エリア［３］に、ファイルが存在する録画開始年月日の年一覧が表示され、文字をタップすることで月選択に移行する。
【００３３】
月選択では、図８（ｃ）に示すように、月選択エリア［４］に、年選択で選択された年の中でファイルが存在する録画開始月一覧が表示され、文字をタップすることで日選択に移行する。日選択では、図８（ｄ）に示すように、日選択エリア［５］に、月選択で選択された月の中でファイルが存在する録画開始日一覧が表示され、文字をタップすることでファイル選択に移行する。ファイル選択では、図８（ｅ）に示すように、ファイル選択エリア［６］に、日選択で選択された日の中に存在するファイル一覧が表示され、文字をタップすることでファイルがダウンロードされ、スマートフォン内に保存された後、録画再生画面に移行する。また、図８（ｂ），（ｃ），（ｄ），（ｅ）中の一つ上へ（文字）［７］をタップすることで一つ前の選択項目に戻る。また、図８（ａ），（ｂ），（ｃ），（ｄ），（ｅ）中のキャンセル（文字）［８］をタップすることでメイン画面に戻る。
【００３４】
動画再生画面Ｐ７は、スマートフォン内に保存された動画ファイルを再生するための画面であり、動画再生の制御の他、動画ファイルの消去や他のアプリケーションとの連携機能をもつ。動画再生画面Ｐ７では、たとえば図９に示すように、動画表示エリア［１］に、再生している動画が表示され、時刻表示エリア［２］に、再生している動画の撮影時刻が表示される。再生ポジションバー［３］に、動画ファイル全体に対する現在の再生ポジションが表示され、再生制御ボタン群［４］のボタンをタップすることにより、動画再生の制御が行われる。
【００３５】
キャプチャーボタン［５］をタップすることにより、現在表示されている動画のキャプチャー画像がスマートフォンに保存される。メニューエリア（Ｍｅｎｕ）［６］をタップすることにより、共有（文字）［７］及び削除（文字）［８］が表示される。共有（文字）［７］をタップすることにより、再生中の動画を他のアプリケーションに渡すためのアプリ選択ダイアログが表示される。削除（文字）［８］をタップすることにより、再生中の動画がスマートフォンから削除され、タップで削除確認ダイアログが表示される。アプリ選択ダイアログ［９］では、再生中の動画を他のアプリケーションに渡すための選択ダイアログが表示される。渡すことができるアプリは、スマートフォンにインストールされている内容によって変化する。
【００３６】
静止画表示画面Ｐ８は、スマートフォン内に保存された静止画ファイルを表示する画面であり、静止画表示の他、静止画ファイルの消去や他のアプリケーションとの連携機能をもつ。静止画表示画面Ｐ８では、図１０（ａ）に示す縦長画面が表示される。図１０（ａ）では、静止画表示エリア［１］、前の画像ボタン［２］、次の画像ボタン［３］及びＭｅｎｕ（文字）［４］が表示される。静止画表示エリア［１］では、静止画が表示され、たとえば、屋内の様子が表示されている。この静止画表示エリア［１］をスワイプすることで、図１０（ｂ）に示す横長画面に切り替えられる。図１０（ｂ）では、静止画表示エリア［１］及びＭｅｎｕ（文字）［４］が表示される。前の画像ボタン［２］をタップすることで、現在表示している静止画の前の時刻の静止画に切り替えられる。また、次の画像ボタン［３］をタップすることで、現在表示している静止画の次の時刻の静止画に切り替えられる。
【００３７】
Ｍｅｎｕ（文字）［４］をタップすることで、図１０（ｃ）に示すメニュー［４］が表示される。メニュー［４］には、共有（文字）［５］及び削除（文字）［６］が表示される。また、図１０（ｃ）中の静止画表示エリア［１］をスワイプすることで、図１０（ｄ）に示す横長画面に切り替えられる。共有（文字）［５］をタップすることで、アプリ選択ダイアログが表示される。削除（文字）［６］をタップすることで、表示中の静止画がスマートフォンから削除される。さらにタップすることで削除確認ダイアログが表示される。図１０（ｅ）に示すアプリ選択ダイアログ［７］は、表示中の静止画を他のアプリケーションに渡すためのものであり、渡すことができるアプリケーションはスマートフォンにインストールされている内容によって変化する。
【００３８】
設定選択画面Ｐ９は、各設定画面に遷移するための画面である。設定選択画面Ｐ９では、図１１に示すように、接続設定（文字）［１］、ログイン設定（文字）［２］、バージョン表示（文字）［３］及びキャンセル（文字）［４］が表示される。接続設定（文字）［１］をタップすることで接続設定画面Ｐ１１に遷移する。ログイン設定（文字）［２］をタップすることでログイン設定画面Ｐ１２に遷移する。バージョン表示（文字）［３］をタップすることでバージョン表示画面Ｐ１３に遷移する。キャンセル（文字）［４］をタップすることでメイン画面Ｐ２に遷移する。
【００３９】
接続設定選択画面Ｐ１０は、設定を行う接続先を選択する画面である。接続設定選択画面Ｐ１０では、図１２に示すように、追加（文字）［１］、接続先名ボタン［２］及びキャンセル（文字）［３］が表示される。追加（文字）［１］をタップすることで新規接続先の接続設定画面Ｐ１１に遷移する。接続先名ボタン［２］では、既に設定された接続先がある場合に設定された接続先名が表示され、タップすることで接続先の設定を読み込み、接続設定画面Ｐ１１に遷移する。キャンセル（文字）［３］をタップすることで設定選択画面Ｐ９に遷移する。
【００４０】  接続設定画面Ｐ１１は、監視カメラ装置（（公序良俗違反につき、不掲載））１０に接続するための各種設定事項を入力するためのものである。接続設定画面Ｐ１１では、図１３に示すように、設定入力エリア［１］、設定ボタン［２］、キャンセルボタン［３］及び削除ボタン［４］が表示される。設定入力エリア［１］は、監視カメラ装置１０に接続するために必要な各種設定事項（たとえば、カメラ名、ＩＰアドレス、コントロールＰｏｒｔ、ＲＴＳＰ（Real Time Streaming Protocol）Ｐｏｒｔ、ユーザＩＤ、パスワード）が入力される。設定ボタン［２］をタップすることで設定事項が保存され、設定選択画面Ｐ９に遷移する。キャンセルボタン［３］をタップすることで設定を破棄し、接続設定選択画面Ｐ１０に遷移する。削除ボタン［４］をタップすることで接続設定が削除され、設定削除確認ダイアログが表示される。
【００４１】
ログイン設定画面Ｐ１２は、アプリケーション起動時のログイン画面の表示／非表示、及びパスワードを設定するためのものである。ログイン設定画面Ｐ１２では、図１４に示すように、ログイン画面有効／無効チェックボックス［１］、ログインパスワード入力ボックス［２］、設定ボタン［３］及びキャンセルボタン［４］が表示される。ログイン画面有効／無効チェックボックス［１］にチェックマークが入力されている場合、アプリケーション起動時にログイン画面Ｐ１が表示される一方、チェックマークが入力されていない場合、ログイン画面Ｐ１が表示されない。ログインパスワード入力ボックス［２］には、ログインパスワードが入力される。設定ボタン［３］をタップすることにより、設定が保存され、設定選択画面Ｐ９に遷移する。キャンセルボタン［４］をタップすることにより、設定が破棄され、設定選択画面Ｐ９に遷移する。
【００４２】
バージョン表示画面Ｐ１３は、現在のアプリケーションのバージョンを確認するための画面である。バージョン表示画面Ｐ１３は、図１５に示すように、バージョン表示（文字）［１］及び終了ボタン［２］が表示される。バージョン表示（文字）［１］では、現在のアプリケーションのバージョンが表示され、終了ボタン［２］をタップすることで設定選択画面Ｐ９に遷移する。
【００４３】
以上のように、この実施形態では、設定された上記優先順位に基づいて選択されたスマートフォンに画像が送信されるので、監視カメラ装置の利便性が向上する。
【００４４】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、上記実施形態では、制御部１７は、カメラ部１１により撮影された画像を解析して動きの検出を画像参照指令として使用するが、たとえば、超音波を発射して反射波を解析することにより動きを検出する構成や、呼び出しスイッチ（たとえば、ナースコールなど）がオン状態となったときに動きとして検出する構成、ピエゾ素子のような圧力センサを用いて動きを検出する構成としても良い。また、携帯通信端末は、スマートフォンに限らず、タブレットＰＣ（パーソナルコンピュータ）などでも良い。また、スマートフォンは、Ａｎｄｒｏｉｄ端末に限らず、多機能携帯電話機であれば良い。また、カメラ部１１を赤外線カメラで構成しても良い。これにより、たとえば、監視対象領域に独居している要介護者の体温が検出され、体温の異常（標準値よりも高い又は低い）が検出されたとき、設定されている優先順位に基づいてスマートフォンが選択されて電子メールが送信され、その後、安否確認などの処置が行われる。
【産業上の利用可能性】
【００４５】
この発明は、スマートフォンなどの多機能携帯通信端末と双方向で通信する監視カメラ装置全般に適用でき、特に、多機能携帯通信端末が複数存在する場合に有効である。
【符号の説明】
【００４６】
１０      監視カメラ装置
１１      カメラ部
１２      操作部
１３      画像記憶部
１６      送受信部
１７      制御部
１７ａ      選択端末優先送信部（選択端末優先送信手段）
３１，３２，３３，３４，３５      スマートフォン（携帯通信端末）
【図１】
2014041570.tif 000003
【図２】
2014041570.tif 000004
【図３】
2014041570.tif 000005
【図４】
2014041570.tif 000006
【図５】
2014041570.tif 000007
【図６】
2014041570.tif 000008
【図７】
2014041570.tif 000009
【図８】
2014041570.tif 000010
【図９】
2014041570.tif 000011
【図１０】
2014041570.tif 000012
【図１１】
2014041570.tif 000013
【図１２】
2014041570.tif 000014
【図１３】
2014041570.tif 000015
【図１４】
2014041570.tif 000016
【図１５】
2014041570.tif 000017